(57)【要約】【課題】  複数の遮光部品を用いることで、ある特定の測定対象部位からの受光量情報のみを得たいときには、ある特定の測定対象部位に対応する測定対象表面のみを覆うことができ、さらに破れたときには、一部の遮光部品のみを交換することができるホルダーを提供すること。【解決手段】  送光プローブ１２又は受光プローブ１３を１個ずつ保持するソケット部３１ａと、ソケット部３１ａを設定距離で連結する連結部３１ｂとを有する複数の一の字形状のホルダー部品３１と、光を透過しない複数の遮光部品６とを備え、複数のホルダー部品３１が用いられて組み立てられることにより、網形状のホルダー１１が形成され、網形状のホルダー１１における一のホルダー部品３１と他のホルダー部品３１との間に形成される複数の空間を通過して測定対象内部に入射しようとする光を、複数の遮光部品６が複数の空間に配置されることにより、遮光することを特徴とする。【選択図】図２
2010115252.tif 000002
【特許請求の範囲】
【請求項１】
光を照射する送光プローブと、光を受光する受光プローブとが交互に設定距離で並べられるように保持して、測定対象表面に装着されることにより、当該測定対象表面から所定の深さに位置する測定対象部位に関する受光量情報を取得するためのホルダーであって、
前記送光プローブ又は受光プローブを１個ずつ保持するソケット部と、少なくとも２個のソケット部を設定距離で連結する連結部とを有する複数の一の字形状のホルダー部品と、
光を透過しない複数の遮光部品とを備え、
一のホルダー部品のソケット部と他のホルダー部品のソケット部とが重ね合わせられるようにして、複数のホルダー部品が用いられて組み立てられることにより、網形状のホルダーが形成され、
網形状のホルダーにおける一のホルダー部品と他のホルダー部品との間に形成される複数の空間を通過して測定対象内部に入射しようとする光を、複数の遮光部品が複数の空間に配置されることにより、遮光することを特徴とするホルダー。
【請求項２】
前記遮光部品の一面は、前記連結部の上面又は下面と脱着可能であることを特徴とする請求項１に記載のホルダー。
【請求項３】
１個の空間には、１個の遮光部品が配置されることを特徴とする請求項１又は請求項２に記載のホルダー。
【発明の詳細な説明】
【技術分野】
【０００１】
本発明は、ホルダーに関し、さらに詳細には非侵襲で脳活動を測定するためのホルダーに関する。
【背景技術】
【０００２】
ヘモグロビンは、血液中で酸素を運搬する役割を果たしている。血液中に含まれるヘモグロビン濃度は、血管の拡張・収縮に応じて増減するため、ヘモグロビン濃度を測定することによって、血管の拡張・収縮を検出することが知られている。
そこで、ヘモグロビン濃度が生体内部の酸素代謝機能に対応することを利用することにより、光を用いて生体内部を簡便に非侵襲で計測する生体計測方法が知られている。ヘモグロビン濃度は、可視光から近赤外領域までの波長の光を生体に照射することにより、生体を透過して得られる光の量から求められる。
【０００３】
さらに、ヘモグロビンは、酸素と結合してオキシヘモグロビンとなり、一方、酸素と離れてデオキシヘモグロビンとなる。脳内では、血流再配分作用によって活性化している部位には酸素供給が行われ、酸素と結合したオキシヘモグロビン濃度が増加することも知られている。よって、オキシヘモグロビン濃度を計測することにより、脳活動の観察に応用することができる。オキシヘモグロビンとデオキシヘモグロビンとは、可視光から近赤外領域にかけて異なる分光吸収スペクトル特性を有しているので、異なる２波長（例えば、７８０ｎｍと８５０ｎｍ）の近赤外光を用いてオキシヘモグロビン濃度とデオキシヘモグロビン濃度とをそれぞれ求めることができる。
【０００４】
そこで、簡便に非侵襲で脳活動を計測するために、送光プローブと受光プローブとを備える光計測装置が開発されている。光計測装置では、被検体の頭皮表面上に配置した送光プローブにより、脳に近赤外光を照射するとともに、頭皮表面上に配置した受光プローブにより、脳から放出された近赤外光の光量を検出する。このようにして送光プローブと受光プローブとを用いることにより、脳の測定部位のオキシヘモグロビン濃度、デオキシヘモグロビン濃度、さらにはこれらから算出される全ヘモグロビン濃度を求める。
【０００５】
ここで、送光プローブと受光プローブとのプローブ間隔（チャンネル）と、脳の測定部位との関係について説明する。図５（ａ）は、一対の送光プローブ及び受光プローブと、脳の測定部位との関係を示す断面図であり、図５（ｂ）は、図５（ａ）の平面図である。
送光プローブ１２が被検体の頭皮表面の送光点Ｔに押し当てられるとともに、受光プローブ１３が被検体の頭皮表面の受光点Ｒに押し当てられる。そして、送光プローブ１２から光を照射させるとともに、受光プローブ１３に頭皮表面から放出される光を検出させる。このとき、光は、頭皮表面の送光点Ｔから照射された光のうちで、バナナ形状（測定領域）を通過した光が、頭皮表面の受光点Ｒに到達する。これにより、測定領域の中でも、特に送光点Ｔと受光点Ｒとを被検体の頭皮表面に沿って最短距離で結んだ線Ｌの中点Ｍから、送光点Ｔと受光点Ｒとを被検体の頭皮表面に沿って最短距離で結んだ線の距離の半分の深さＬ／２である被検体の部位Ｓの受光量情報（オキシヘモグロビン濃度、デオキシヘモグロビン濃度、さらにはこれらから算出される全ヘモグロビン濃度）が得られる。
【０００６】
また、運動や感覚や思考等の脳機能に関する脳の複数箇所の測定部位のヘモグロビン濃度等を計測することにより、脳機能診断や循環器系障害診断等の医療分野に適用される光計測装置が開発されている。
このような光計測装置では、例えば、複数の送光プローブと、複数の受光プローブとを有する送受光部が利用されている（例えば、特許文献１参照）。送受光部においては、複数の送光プローブと、複数の受光プローブとを所定の配列で被検体の頭皮表面に密着させるために、ホルダーが使用される。ホルダーには貫通孔が複数個設けられ、送光プローブと受光プローブとがそれらの貫通孔に挿入されることによって、チャンネルが一定となり、頭皮表面から特定の深度となる複数箇所の部位から受光量情報が得られる。
【０００７】
また、頭皮表面の曲率は、男女差、年齢差、個人差によって異なるために、様々な曲率を有する面に対して密着することができるホルダーも開発されている（例えば、特許文献２参照）。図６は、送受光部における１８個の送光プローブと１８個の受光プローブと１枚の遮光布との位置関係を示す平面図である。また、図７は、ホルダー部品とソケットと遮光布と送光プローブとを示す分解斜視図であり、図８（ａ）は、図６に示すＣ―Ｃ線の一部の断面図であり、図８（ｂ）は、図６に示すＤ―Ｄ線の一部の断面図である。
ホルダー７１は、６０個のホルダー部品６１と、３６個のソケット３３と、１枚の遮光布６６とからなる。
ホルダー部品６１は、一の字形状である。そして、ホルダー部品６１は、両端に円形状のソケット部６１ａと、両端のソケット部６１ａをチャンネル長さ（設定距離）で連結する連結部６１ｂとを有する。
ソケット３３は、送光プローブ１２又は受光プローブ１３を保持するメス型ソケット３３ｂと、ホルダー部品６１に固定するために用いられるナット３３ａとからなる。メス型ソケット３３ｂは、円形状の底部と、円筒形状の本体部とを有し、その内側に送光プローブ１２又は受光プローブ１３が挿入されるとともに、本体部の外側にナット３３ａが螺合されるネジが設けられている。また、ナット３３ａは、円形状であり、その内側にメス型ソケット３３ｂに螺合されるメスネジが設けられている。
【０００８】
そして、６０個のホルダー部品６１と、３６個のソケット３３とを用いて組み立てることにより、網形状のホルダー７１を形成している。さらに、組み立てられた網形状のホルダー７１のソケット３３に、被覆部材１５が外周面に装着された送光プローブ１２と、被覆部材１５が外周面に装着された受光プローブ１３とを行方向と列方向とに交互となるように挿入することによって、図６に示すような送受光部７０を形成している。
なお、送受光部７０は、頭皮から脳までの距離が考慮されて設計されているため、被検体が成人であれば、送光プローブ１２と受光プローブ１３との間の距離（チャンネル）を３０ｍｍとしたものが用いられる。チャンネルが３０ｍｍである場合には、上述したようにチャンネルの中点からの深度１５ｍｍ〜２０ｍｍの受光量情報が得られると考えられている。すなわち、頭皮表面から深度１５ｍｍ〜２０ｍｍの位置は脳表部位にほぼ対応し、脳活動に関した受光量情報が得られる。また、送光プローブ１２から照射された光は、隣接する受光プローブ１３以外の離れた受光プローブ１３でも検出されるが、ここでは説明を簡単にするため、隣接する受光プローブ１３のみで検出されることとする。よって、合計６０箇所の脳表部位（測定対象部位）からの受光量情報が得られる。
【０００９】
ところで、網形状のホルダー７１を用いて正方格子状に配置された送光プローブ１２と受光プローブ１３とを、図９に示すように被検体の頭皮表面に装着することになるが、網形状のホルダー７１における一のホルダー部品６１と他のホルダー部品６１との間に形成される２５個の四角形の空間を通過して頭部内部に入射する光を遮光するために、図６〜図８に示すようにホルダー７１には１枚の遮光布６６が装着されている。
遮光布６６は、被検体の頭皮表面に密着するように、伸縮性を有する黒色の生地である。そして、遮光布６６の大きさは、網形状のホルダー７１における一のホルダー部品６１と他のホルダー部品６１との間に形成される２５個の四角形の空間から頭部内部（測定対象内部）に入射する光を遮光するように、網形状のホルダー７１よりやや大きいものとなっている。また、遮光布６６には、送光プローブ１２又は受光プローブ１３を貫通させるための６×６個の円形状の貫通孔６６ａが開けられている。
これにより、図７に示すように、遮光布６６の貫通孔６６ａにメス型ソケット３３ｂの本体部を挿入して、さらに一のホルダー部品６１のソケット部６１ａと他のホルダー部品６１のソケット部６１ａとを重ね合わせ、２個のソケット部６１ａの貫通孔にメス型ソケット３３ｂの本体部を挿入して、メス型ソケット３３ｂの底部とナット３３ａとで挟み込んで締付けることによって、ホルダー部品６１とソケット３３と遮光布６６とを固定している。
【特許文献１】特開２００１−３３７０３３号公報
【特許文献２】特開２００７−１１１４０７号公報
【発明の開示】
【発明が解決しようとする課題】
【００１０】
しかしながら、遮光布６６の貫通孔６６ａにメス型ソケット３３ｂの本体部を挿入して、メス型ソケット３３ｂの底部とナット３３ａとで挟み込んで締付けることによって、ホルダー部品６１とソケット３３と遮光布６６とを固定することになるが、ホルダー部品６１とソケット３３と遮光布６６とを固定する際に、貫通孔６６ａから遮光布６６が破れることがあった。このように遮光布６６が破れたときには、新品の遮光布６６を準備する必要があった。
また、送受光部７０では６０箇所の脳表部位からの受光量情報を得ることができるが、６０箇所全ての脳表部位からの受光量情報を得る必要がなく、ある特定（例えば、図６中の白点線で囲まれる１２箇所）の脳表部位からの受光量情報のみを得る測定もあり、遮光布６６では頭皮表面の大面積（２５個の四角形の空間）を常に覆うことになり、ある特定の脳表部位からの受光量情報のみを得たいときにも、被検体にとって頭部の通気性が悪くなっていた。
そこで、本発明は、複数の遮光部品を用いることで、ある特定の測定対象部位からの受光量情報のみを得たいときには、ある特定の測定対象部位に対応する測定対象表面のみを覆うことができ、さらに破れたときには、一部の遮光部品のみを交換することができるホルダーを提供することを目的とする。
【課題を解決するための手段】
【００１１】
上記課題を解決するためになされた本発明のホルダーは、光を照射する送光プローブと、光を受光する受光プローブとが交互に設定距離で並べられるように保持して、測定対象表面に装着されることにより、当該測定対象表面から所定の深さに位置する測定対象部位に関する受光量情報を取得するためのホルダーであって、前記送光プローブ又は受光プローブを１個ずつ保持するソケット部と、少なくとも２個のソケット部を設定距離で連結する連結部とを有する複数の一の字形状のホルダー部品と、光を透過しない複数の遮光部品とを備え、一のホルダー部品のソケット部と他のホルダー部品のソケット部とが重ね合わせられるようにして、複数のホルダー部品が用いられて組み立てられることにより、網形状のホルダーが形成され、網形状のホルダーにおける一のホルダー部品と他のホルダー部品との間に形成される複数の空間を通過して測定対象内部に入射しようとする光を、複数の遮光部品が複数の空間に配置されることにより、遮光するようにしている。
【００１２】
本発明のホルダーによれば、複数の遮光部品を用いて、網形状のホルダーにおける一のホルダー部品と他のホルダー部品との間に形成される複数の空間から測定対象内部に入射する光を遮光する。例えば、１個の空間には１個の遮光部品を用いて光を遮光するようにしたり、２個の空間には１個の遮光部品を用いて光を遮光するようにしたりする。
これにより、ある特定の測定対象部位からの受光量情報のみを得たいときには、ある特定の測定対象部位に対応する測定対象表面から測定対象内部に入射する光を遮光するために、全ての空間を遮光することなく、数個の空間に遮光部品を配置することができる。
また、１個の遮光部品が破れたり汚れたりしたときには、１個の遮光部品のみを新品の１個の遮光部品と交換することができる。
【発明の効果】
【００１３】
以上のように、本発明のホルダーによれば、複数の遮光部品を用いることで、ある特定の測定対象部位からの受光量情報のみを得たいときには、ある特定の測定対象部位に対応する測定対象表面のみを覆うことができ、さらに破れたときには、一部の遮光部品のみを交換することができる。
【００１４】
（その他の課題を解決するための手段及び効果）
また、本発明のホルダーは、前記遮光部品の一面は、前記連結部の上面又は下面と脱着可能であるようにしてもよい。
ここで、「脱着可能」とするための構成としては、特に限定されるものではないが、例えば、フックとループとからなる面ファスナー等が挙げられる。
本発明のホルダーによれば、連結部の上面又は下面に遮光部品を容易に固定したり取り外したりすることができる。
さらに、本発明のホルダーは、１個の空間には、１個の遮光部品が配置されるようにしてもよい。
本発明のホルダーによれば、１個の空間には１個の遮光部品を用いることで、ある特定の測定対象部位からの受光量情報のみを得たいときには、ある特定の測定対象部位に対応する測定対象表面のみを確実に覆うことができる。
【発明を実施するための最良の形態】
【００１５】
以下、本発明の実施形態について図面を用いて説明する。なお、本発明は、以下の実施形態に限定されるものではなく、本発明の趣旨を逸脱しない範囲で種々の態様が含まれることはいうまでもない。
【００１６】
図１は、本発明の一実施形態である光計測装置の構成を示すブロック図である。また、図２は、送受光部における５個の送光プローブと４個の受光プローブと１６個の遮光部品との位置関係を示す平面図である。また、図３（ａ）は、図２に示すＡ―Ａ線の一部の断面図であり、図３（ｂ）は、図２に示すＢ―Ｂ線の一部の断面図である。なお、本実施形態では、ある特定（例えば、図２中の白点線で囲まれる１２箇所）の脳表部位からの受光量情報のみを得る測定を行う場合について説明するものとする。また、送受光部７０と同様のものについては、同じ符号を付している。
光計測装置１は、ホルダー１１と光を出射する５個の送光プローブ１２と光の量を検出する４個の受光プローブ１３と装着具１４と１６個の遮光部品６とからなる送受光部１０と、送光プローブ１２と導光路（図示せず）により接続される発光部２と、受光プローブ１３と導光路（図示せず）により接続される光検出部３と、光計測装置１全体の制御を実行する制御部（コンピュータ）２０とにより構成される。
【００１７】
ホルダー１１は、６０個のホルダー部品３１と、３６個のソケット３３とからなる。
ホルダー部品３１は、一の字形状である。そして、ホルダー部品３１は、両端に円形状のソケット部３１ａと、両端のソケット部３１ａをチャンネル長さ（設定距離）で連結する連結部３１ｂとを有する。
各ソケット部３１ａの中央には、ソケット３３を嵌めこむための円形状の貫通孔がそれぞれ開けられている。また、連結部３１ｂは、幅１０ｍｍ、厚さ０．１ｍｍであり、かつ、貫通孔の中心と貫通孔の中心との間の距離がチャンネル長さ３０ｍｍとなるように形成されており、厚さ方向にだけ可撓性を有する。
連結部３１ｂの上面には、後述する遮光部品６の裏面の周縁部に形成されたループと脱着可能であるフックが形成されている。これにより、連結部３１ｂの上面に遮光部品６を容易に固定したり取り外したりすることができるようになっている。
上記ホルダー部品及びソケットを構成する材質としては、特に限定されるものではないが、例えば、ポリプロピレン、ポリ塩化ビニル、ポリアセタール等が挙げられる。
【００１８】
これにより、一のホルダー部品３１のソケット部３１ａと他のホルダー部品３１のソケット部３１ａとを重ね合わせ、ソケット部３１ａの貫通孔にメス型ソケット３３ｂの本体部を挿入して、メス型ソケット３３ｂの底部とナット３３ａとで挟み込んで締付けることによって、一のホルダー部品３１の連結部３１ｂと他のホルダー部品３１の連結部３１ｂとの間の角度を一定にして固定することができる。また、メス型ソケット３３ｂの底部と、ナット３３ａとの締付けを緩めることによって、一のホルダー部品３１の連結部３１ｂと他のホルダー部品３１の連結部３１ｂとの間の角度を変更することができる。よって、変形が加えられた状態で、一のホルダー部品３１の連結部３１ｂと他のホルダー部品３１の連結部３１ｂとの間の角度で形成される角度が固定されると、もはや平面には戻れず、その曲率が保持される結果となる。
そして、６０個のホルダー部品３１と、３６個のソケット３３とを用いて組み立てることにより、例えば、図２に示すような網形状のホルダー１１を形成している。
【００１９】
装着具１４は、図９に示すように、頭部に巻きつける円形状のベルト１４ａと、複数の固着部品１４ｂとを有する。固着部品１４ｂは、一の字形状であり、一端に円形状の接続部と、ベルト１４ａに脱着可能に固着する固着部とを有する。接続部の中央には、ソケット３３を嵌めこむための円形状の貫通孔が開けられ、固着部品１４ｂは、ホルダー１１の外周部のソケット３３により連結される。
上記ベルトと固着部品とは、特に限定されるものではないが、例えば、フックとループとからなる面ファスナーで固着されることが好ましい。
【００２０】
送光プローブ１２及び受光プローブ１３は、円柱形状である。送光プローブ１２は、その先端部から光を照射するものであり、一方、受光プローブ１３は、その先端部で放出される光を受光するものである。また、送光プローブ１２は、光ファイバ等の導光路（図示せず）により発光部２に接続され、一方、受光プローブ１３は、光ファイバ等の導光路（図示せず）により光検出部３に接続されている。
これにより、組み立てられた網形状のホルダー１１のソケット３３に、被覆部材１５が外周面に装着された送光プローブ１２と、被覆部材１５が外周面に装着された受光プローブ１３とを行方向と列方向とに交互となるように挿入することによって、図２に示すように、送光プローブ１２と受光プローブ１３とを行方向と列方向とに交互となるように正方格子状に配置された送受光部（ＮＩＲＳ）１０を形成している。なお、送光プローブ１２と受光プローブ１３との間の距離は、３０ｍｍである。よって、送光プローブ１２と受光プローブ１３とは、頭皮表面から深度１５ｍｍ〜２０ｍｍの位置にある脳表部位（測定対象部位）に関する受光量情報が得られることになる。
【００２１】
遮光部品６は、光を透過しない黒色の生地である。図４（ａ）は、遮光部品６の表面を示す図であり、図４（ｂ）は、遮光部品６の裏面を示す図である。１個の遮光部品６の大きさは、網形状のホルダー１１における一のホルダー部品３１と他の三個のホルダー部品３１との間に形成される１個の四角形の空間を通過して頭部内部に入射する光を遮光するように、１個の四角形の空間よりやや大きい八角形状に形成されている。そして、遮光部品６の裏面の周縁部には、ホルダー部品３１の連結部３１ｂの上面に形成されたフックと脱着可能であるループが形成されている。これにより、連結部３１ｂの上面に遮光部品６を容易に固定したり取り外したりすることができるようになっている。また、ある特定の脳表部位からの受光量情報のみを得たいときには、ある特定の脳表部位に対応する頭皮表面から頭部内部に入射する光を遮光するように、例えば、図２に示すように１６個の四角形の空間に１６個の遮光部品６を配置することになる。つまり、残りの９個の四角形の空間には遮光部品６を配置しないので、被検体にとって頭部の通気性がよくなる。
なお、１３個の送光プローブと１２個の受光プローブとを有する送受光部を用いて、４０箇所の脳表部位からの受光量情報を得る測定を行う場合には、２５個の遮光部品６を用いればよく、１８個の送光プローブと１８個の受光プローブとを有する送受光部を用いて、６０箇所の脳表部位からの受光量情報を得る測定を行う場合には、４５個の遮光部品６を用いればよいことになる。
【００２２】
発光部２は、コンピュータ２０から入力された駆動信号により５個の送光プローブ１２のうちから選択される１個の送光プローブに光を送光する光源であり、例えば、ＬＥＤ（発光ダイオード）やＬＤ（レーザーダイオード）等の発光素子等である。上記光としては、例えば、異なる２波長（例えば、７８０ｎｍと８５０ｎｍ）の近赤外光等が用いられる。なお、互いに光がほとんど干渉しない遠く離れた送光プローブ１２どうしであれば、複数の送光プローブに同時に送光して、測定の能率を高めることもできるが、以下の説明では１つずつ送光するものとして説明する。
光検出部３は、４個の受光プローブ１３で受光した近赤外光を個別に検出することにより、４個の受光信号（受光量情報）をコンピュータ２０に出力する検出器であり、例えば、フォトダイオードやフォトトランジスタ等の受光素子、光電子増倍管等である。
【００２３】
コンピュータ２０においては、ＣＰＵ２１を備え、さらに、メモリ２５と、モニタ画面２３ａ等を有する表示装置２３と、入力装置２２であるキーボード２２ａやマウス２２ｂとが連結されている。また、ＣＰＵ２１が処理する機能をブロック化して説明すると、発光部２及び光検出部３を制御する送受光部制御部４と、受光量情報取得部４４と、脳活動受光量情報算出部４６とを有する。
【００２４】
送受光部制御部４は、発光部２に駆動信号を出力する発光制御部４２と、光検出部３からの受光信号（受光量情報）を受けることにより受光信号をメモリ２５に記憶させる光検出制御部４３とを有する。
発光制御部４２は、送光プローブ１２に光を送光する駆動信号を発光部２に出力する制御を行う。例えば、まず、一の送光プローブ１２に７８０ｎｍの光を０．１５秒間送光させ、次に、他の送光プローブ１２に７８０ｎｍの光を０．１５秒間送光させるように、順番に７８０ｎｍの光を送光させる駆動信号を発光部２に出力する。さらに、順番に７８０ｎｍの光を送光させた後には、同様にして送光プローブ１２から順番に８５０ｎｍの光を送光させる駆動信号を発光部２に出力する。
【００２５】
光検出制御部４３は、光検出部３からの受光信号（受光量情報）を受けることにより受光信号をメモリ２５に記憶させる制御を行う。例えば、一の送光プローブ１２から送光された７８０ｎｍの光を４個の受光プローブ１３で検出した受光信号を受信し、次に、他の送光プローブ１２から送光された７８０ｎｍの光を４個の受光プローブ１３で検出した受光信号を受信するように、５個の送光プローブ１２から送光した７８０ｎｍの光を４個の受光プローブ１３で検出した受光信号を受信する。さらに、同様にして５個の送光プローブ１２から送光した８５０ｎｍの光を４個の受光プローブ１３で検出した受光信号を受信する。
受光量情報取得部４４は、送光プローブ１２から、当該送光プローブ１２と隣接する受光プローブ１３で受光される光の受光量情報を取得する制御を行う。具体的には、メモリ２５に記憶された受光信号の中から、送光プローブ１２から、当該送光プローブ１２と隣接する受光プローブ１３で受光される受光信号を、深さ３０／２ｍｍ（脳表部位）の受光量情報として取得する。
脳活動受光量情報算出部４６は、測定対象部位の受光量情報を取得して、得られた脳活動データ（賦活データともいう）に平均化処理等の画像処理、マッピングを実行して画像化する制御を行う。
【００２６】
以上のように、本発明の光計測装置１によれば、頭皮表面から頭部内部に入射する光を遮光するために、複数の遮光部品６を用いることで、ある特定の脳表部位からの受光量情報のみを得たいときには、ある特定の脳表部位に対応する頭皮表面のみを覆うことができ、さらに破れたときには、一個の遮光部品６のみを交換することができる。
【００２７】
（他の実施形態）
（１）上述した光計測装置１では、１個の遮光部品６の大きさは、１個の四角形の空間よりやや大きい八角形状に形成されている構成を示したが、１個の遮光部品の大きさは、２個や５個の四角形の空間よりやや大きい八角形状に形成されているような構成としてもよい。
（２）上述した光計測装置１では、１個の遮光部品６の形状は、八角形状に形成されている構成を示したが、四角形状等の多角形状に形成されているような構成としてもよい。
【産業上の利用可能性】
【００２８】
本発明は、光を用いて非侵襲で生体内部を計測する光計測装置に利用することができる。
【図面の簡単な説明】
【００２９】
【図１】本発明の一実施形態である光計測装置の構成を示すブロック図である。
【図２】送受光部における５個の送光プローブと４個の受光プローブと１６個の遮光部品との位置関係を示す平面図である。
【図３】ホルダー部品とソケットと遮光部品と送光プローブとを組み立てた断面図である。
【図４】遮光部品の一例を示す平面図である。
【図５】一対の送光プローブ及び受光プローブと、脳の測定対象部位との関係を示す図である。
【図６】送受光部における１８個の送光プローブと１８個の受光プローブと１枚の遮光布との位置関係を示す平面図である。
【図７】ホルダー部品とソケットと遮光布と送光プローブとを示す分解斜視図である。
【図８】ホルダー部品とソケットと遮光布と送光プローブとを組み立てた断面図である。
【図９】ホルダーと送光プローブと受光プローブとを頭部に装着具により装着した状態を示す図である。
【符号の説明】
【００３０】
１：光計測装置
６：遮光部品
１１：ホルダー
１２：送光プローブ
１３：受光プローブ
２０：制御部（コンピュータ）
３１：ホルダー部品
３１ａ：ソケット部
３１ｂ：連結部
Ｔ：送光点
Ｒ：受光点
Ｍ：中点
Ｓ：測定部位
【図１】
2010115252.tif 000003
【図２】
2010115252.tif 000004
【図３】
2010115252.tif 000005
【図４】
2010115252.tif 000006
【図５】
2010115252.tif 000007
【図６】
2010115252.tif 000008
【図７】
2010115252.tif 000009
【図８】
2010115252.tif 000010
【図９】
2010115252.tif 000011